【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
一方の端に形成され、流体が導入される流体導入口、他方の端に形成され、前記流体が導出される流体導出口、及び前記流体導入口と前記流体導出口とを連通させる中空部を区画するとともに、一方向に延びる外枠部材と、 
前記外枠部材の外面よりも内側に配置され、前記流体の流れを縮小する第１の縮流部、及び該第１の縮流部と連通するとともに、前記中空部に配置された拡径部を有する複数の抵抗付与部と、
を備え、
前記複数の抵抗付与部は、互いに隣り合うように配置されており、
互いに隣り合う前記抵抗付与部のうち、一方の抵抗付与部を構成する前記第１の縮流部は、他方の抵抗付与部を構成する前記拡径部と連通しており、 
前記互いに隣り合う抵抗付与部を構成する前記第１の縮流部は、前記外枠部材が延びる方向において異なる位置に配置されており、
前記複数の抵抗付与部は、前記外枠部材が延びる方向に配置されており、 
前記外枠部材内には、該外枠部材が延びる方向に対して前記中空部を分割する複数の分割板が設けられており、 
互いに隣り合う前記分割板のうち、一方の分割板には、前記一方の抵抗付与部を構成する前記第１の縮流部が形成され、他方の分割板には、前記他方の抵抗付与部を構成する前記第１の縮流部が形成されており、 
互いに隣り合う前記分割板の間には、前記拡径部が配置されており、
前記互いに隣り合う分割板のうち、少なくとも一方の分割板には、前記拡径部を流れる前記流体の流路を狭くするリブが設けられている流路抵抗体。 
【請求項２】
一方の端に形成され、流体が導入される流体導入口、他方の端に形成され、前記流体が導出される流体導出口、及び前記流体導入口と前記流体導出口とを連通させる中空部を区画するとともに、一方向に延びる外枠部材と、 
前記外枠部材の外面よりも内側に配置され、前記流体の流れを縮小する第１の縮流部、及び該第１の縮流部と連通するとともに、前記中空部に配置された拡径部を有する複数の抵抗付与部と、
を備え、
前記複数の抵抗付与部は、互いに隣り合うように配置されており、
互いに隣り合う前記抵抗付与部のうち、一方の抵抗付与部を構成する前記第１の縮流部は、他方の抵抗付与部を構成する前記拡径部と連通しており、 
前記互いに隣り合う抵抗付与部を構成する前記第１の縮流部は、前記外枠部材が延びる方向において異なる位置に配置されており、
前記複数の抵抗付与部は、前記外枠部材が延びる方向に配置されており、 
前記外枠部材内には、該外枠部材が延びる方向に対して前記中空部を分割する複数の分割板が設けられており、 
互いに隣り合う前記分割板のうち、一方の分割板には、前記一方の抵抗付与部を構成する前記第１の縮流部が形成され、他方の分割板には、前記他方の抵抗付与部を構成する前記第１の縮流部が形成されており、 
互いに隣り合う前記分割板の間には、前記拡径部が配置されており、
前記互いに隣り合う分割板には、前記拡径部を分割する少なくとも１つの仕切り板が設けられており、 
前記仕切り板には、前記流体の流れを縮小する第２の縮流部が形成されている流路抵抗体。 
【請求項３】
前記流体導入口及び前記流体導出口は、前記流体の流れを縮小する縮流部として機能する大きさとされており、 
前記流体導入口は、前記複数の抵抗付与部のうち、前記外枠部材の一方の端部に配置された抵抗付与部の一部を構成し、 
前記流体導出口は、前記複数の抵抗付与部のうち、前記外枠部材の他方の端部に配置された抵抗付与部の一部を構成する請求項１または２記載の流路抵抗体。 
【請求項４】
一方の端に形成され、流体が導入される流体導入口、他方の端に形成され、前記流体が導出される流体導出口、及び前記流体導入口と前記流体導出口とを連通させる中空部を区画するとともに、一方向に延びる外枠部材と、 
前記外枠部材の外面よりも内側に配置され、前記流体の流れを縮小する第１の縮流部、及び該第１の縮流部と連通するとともに、前記中空部に配置された拡径部を有する複数の抵抗付与部と、
を備え、
前記複数の抵抗付与部は、前記外枠部材が延びる方向に延びるとともに、前記外枠部材の周方向に配置されており、
前記複数の抵抗付与部のうち、１つの前記抵抗付与部の一端に流体が導入される流体導入口が形成され、前記流体導入口が形成された前記抵抗付与部に隣接する抵抗付与部の他端に前記流体が導出される流体導出口が形成されており、
互いに隣り合う前記抵抗付与部のうち、一方の抵抗付与部を構成する前記拡径部は、他方の抵抗付与部を構成する前記拡径部と連通しており、
前記複数の抵抗付与部は、前記流体導入口側に配置され、前記第１の縮流部が形成された第１の仕切り板と、前記流体導出口側に配置され、前記第１の縮流部が形成された第２の仕切り板と、をそれぞれ有し、 
前記第１及び第２の仕切り板は、前記外枠部材が延びる方向に延びる前記拡径部を分割しており、 
前記拡径部は、前記外枠部材の周方向に配置された板材により周方向が区画されており、 
前記抵抗付与部を流れる前記流体は、前記第１の仕切り板または前記第２の仕切り板を通過後に、該抵抗付与部と隣接する他の抵抗付与部内を流れる流路抵抗体。 
【請求項５】
前記第１の仕切り板と前記第２の仕切り板との間には、少なくとも１つの第３の仕切り板が配置されており、 
前記第３の仕切り板には、前記第１の縮流部が形成されている請求項４記載の流路抵抗体。 
【請求項６】
前記流体導出口は、前記外枠部材の前記他方の端の中央部に配置されている請求項１から５のうち、いずれか一項記載の流路抵抗体。 
【請求項７】
前記流路抵抗体は、前記一方の端側に位置する前記外枠部材の外周面に設けられ、該外周面から前記外枠部材の外側に突出する突出部を有する請求項１から６のうち、いずれか一項記載の流路抵抗体。
【請求項８】
一方の端に形成され、流体が導入される流体導入口、他方の端に形成され、前記流体が導出される流体導出口、及び前記流体導入口と前記流体導出口とを連通させる中空部を区画するとともに、一方向に延びる外枠部材と、 
前記外枠部材の外面よりも内側に配置され、前記流体の流れを縮小する第１の縮流部、及び該第１の縮流部と連通するとともに、前記中空部に配置された拡径部を有する複数の抵抗付与部と、
前記外枠部材内に収容されるとともに、前記一方向において間隔をあけて配置され、かつ前記第１の縮流部が形成された第１の傾斜板と、 
前記外枠部材内に収容されるとともに、前記一方向において間隔をあけて配置され、かつ第２の縮流部が形成された第２の傾斜板と、 
を備え、
前記複数の抵抗付与部は、互いに隣り合うように配置されており、
互いに隣り合う前記抵抗付与部のうち、一方の抵抗付与部を構成する前記第１の縮流部は、他方の抵抗付与部を構成する前記拡径部と連通しており、 
前記互いに隣り合う抵抗付与部を構成する前記第１の縮流部は、前記外枠部材が延びる方向において異なる位置に配置されており、
複数の前記第１の傾斜板は、前記一方向に対して傾斜して配置されており、 
複数の前記第２の傾斜板は、前記第１の傾斜板とは異なる方向に傾斜しており、 
前記拡径部は、前記第１の傾斜板、前記第２の傾斜板、及び前記外枠部材の内面で区画されて、複数形成されており、 
前記第１及び第２の縮流部は、前記拡径部に連通しており、
前記第１及び第２の傾斜板のうち、少なくとも一方にリブを設ける流路抵抗体。 
【請求項９】
前記第２の傾斜板は、前記一方向に配置された前記第１の傾斜板と接続されている請求項８記載の流路抵抗体。 
【請求項１０】
前記第２の傾斜板は、前記一方向に配置された前記第１の傾斜板から離れて配置されている請求項８記載の流路抵抗体。 
【請求項１１】
前記流体導出口側から平面視した状態において、前記第１の縮流部、及び前記第２の縮流部は、異なる位置に形成されている請求項８から１０のうち、いずれか一項記載の流路抵抗体。 
【請求項１２】
請求項１から１１のうち、いずれか一項記載の流路抵抗体と、 
ガスを導入するガス導入口、及び前記ガスを導出するガス導出口を有する筒状のケーシングと、 
前記ケーシング内の底部に配置され、複数の第１及び第２の貫通穴が形成された管支持板と、 
前記管支持板と前記ケーシングの底部との間に設けられ、複数の前記第１の貫通穴を露出する冷却水供給室と、複数の前記第２の貫通穴を露出する冷却水回収室と、を分離させる板状部材と、 
前記第１の貫通穴に一方の端部が挿入され、前記第２の貫通穴に他方の端部が挿入され、かつ逆Ｕ字形状とされた複数の伝熱管と、
前記ケーシングに設けられ、前記冷却水供給室に前記流体である冷却水を導入する冷却水導入口と、 
前記ケーシングに設けられ、前記冷却水回収室から前記冷却水を導出する冷却水導出口と、 
備え、 
前記流路抵抗体は、前記複数の伝熱管のうち、前記伝熱管の一方の端側から該伝熱管の一方の端部内に装着されている熱交換器。 
【請求項１３】
前記流路抵抗体は、前記複数の伝熱管に設けられており、 
前記複数の伝熱管の一方の端部に装着された前記流路抵抗体は、前記伝熱管の一方の端部内に導入される前記冷却水の圧力に応じて、前記流路抵抗体を構成する前記抵抗付与部の数が異なる請求項１２記載の熱交換器。